(57)【要約】【課題】スプリングのねじり力によってエネルギーを貯蔵するエネルギー貯蔵装置を提供する。【解決手段】ねじり力変換ギア１１を備え、エネルギー源に連結してねじり力として出力する。ねじり力変換ギア１１の出力側にねじり力制限器１２を連結し、過大ねじり力を遮断する。ねじり力制限器１２の出力側にワンウェイ入力ベアリング１３が連結されることで、ねじり力を一方向へ伝達し、且つ出力後のねじり力が逆方向に出力される。ワンウェイ入力ベアリング１３の出力側にエネルギー貯蔵ユニット１４が連結され、エネルギー貯蔵ユニット１４は二つの回転盤１４２、１４３を同軸連結して形成され、隣接する二つの回転盤の間にねじり力スプリング１４１を巻き付ける。ねじり力スプリング１４１の末端は巻き付け方向とは逆方向に折れ曲がって設置され、回転盤が回転するとき、ねじり力スプリングが二次的に折れ曲がり巻き付けを行って回転のねじ力を増加させる。【選択図】図３
2014020454.tif 000002
【特許請求の範囲】
【請求項１】
ねじり力変換ギアと、ねじり力制限器と、ワンウェイ入力ベアリングと、エネルギー貯蔵ユニットと、増速変換ギアと、を含む、スプリングのねじり力によってエネルギーを貯蔵するエネルギー貯蔵装置であって、
前記ねじり力変換ギアは、その入力側をエネルギー源に接続し、前記エネルギー源は回転方式で入力され、前記ねじり力変換ギアによってねじり力に変換出力され、
前記ねじり力制限器は、前記ねじり力変換ギアの出力側に接続され、前記ねじり力変換ギアが伝達するねじり力が前記ねじり力制限器の限定値を超える場合は、前記ねじり力制限器が滑ってねじり力を遮断して損壊を招くことを避け、
前記ワンウェイ入力ベアリングは、前記ねじり力制限器の出力側に接続されることによって、ねじり力を一方方向に伝達し、且つ出力後のねじり力が逆出力して前記ねじり力制限器或いはねじり力変換ギアを破壊することを防止し、
前記エネルギー貯蔵ユニットは、少なくとも二つの回転盤を同軸連結して形成され、前記隣接する二つの回転盤の間にはねじり力スプリングを巻き付け、前記ねじり力スプリング両側の末端は隣接する二つの回転盤外縁と軸心にそれぞれ連結され、且つ前記ねじり力スプリングの末端は巻き付け方向と逆方向に折り曲げて設置され、その回転盤の一つは、ねじり力入力側として前記ワンウェイ入力ベアリングの出力側に連結され、前記回転盤が回転すると、前記ねじり力スプリングが二次的に折れ曲がり巻き付けを行って回転ねじり力を増加させ、もう一つの回転盤へ伝達してねじり力の出力を行い、
前記増速変換ギアは、前記エネルギー貯蔵ユニットのねじり力出力側回転盤に連結され、前記増速変換ギアが静止しているときは、同時に前記ねじり力出力側の回転盤をストップさせることによって、前記ねじり力入力側回転盤が回転してエネルギー蓄積を行い、前記増速変換ギアが起動すると、前記出力側回転盤の回転ねじり力を増速させてエネルギー出力を行うことができることを特徴とする、スプリングのねじり力によってエネルギーを貯蔵するエネルギー貯蔵装置。
【請求項２】
前記ねじり力変換ギアが連結されるエネルギー源は、エネルギーユニットであり、前記エネルギーユニットのエネルギー出力側にはクラッチが設置され、
前記クラッチと前記ねじり力変換ギアとの間には、ホイール・変速ボックスを順次設置し、前記クラッチは、前記エネルギーユニットのエネルギーを前記変速ボックスへ出力するかどうかを制御し、前記ホイールは回転慣性によって前記エネルギーユニットのエネルギー出力の安定性を維持し、
前記変速ボックスは、回転速度を下げてねじり力を増加させ、エネルギー貯蔵に適合するようにしたことを特徴とする、請求項１に記載のスプリングのねじり力によってエネルギーを貯蔵するエネルギー貯蔵装置。
【請求項３】
前記増速変換ギアの出力側は、発電機に連結し、前記増速変換ギアと発電機の間には、電磁式動力ブレーキ、無段変速ボックス、速度制御器、ホイール、発電機クラッチを順次設置し、
前記電磁式動力ブレーキは、前記増速変換ギアのエネルギー出力を引き下げ或いは停止させ、
前記無段変速ボックスは、エネルギー出力の回転速度を維持し、
前記速度制御器は、エネルギー出力の回転速度を制御し、
前記ホイールは回転の慣性によってエネルギー出力の安定性を維持し、
前記発電機のクラッチは、最後にエネルギーを前記発電機へ出力して発電させることを制御することを特徴とする、請求項１に記載のスプリングのねじり力によってエネルギーを貯蔵するエネルギー貯蔵装置。
【請求項４】
前記回転盤の回転軸心には、スリーブが設置され、前記スリーブに内留め具溝が設置され、前記回転盤の外縁に外留め具溝が設置され、前記ねじり力スプリングの内側末端は回転盤の中の一つの内留め具溝に固定され、前記ねじり力スプリングの外側末端は逆方向に折れ曲がって隣接するもう一つの回転盤の前記外留め具溝に固定されていることを特徴とする、請求項１に記載のスプリングのねじり力によってエネルギーを貯蔵するエネルギー貯蔵装置。
【請求項５】
前記回転盤の回転軸心には、スリーブが設置され、前記スリーブに内留め具溝が設置され、前記回転盤の外縁に外留め具溝が設置され、前記ねじり力スプリングの外側末端は一方の回転盤の外留め具溝に固定され、前記ねじり力スプリングの内側末端は逆方向に折れ曲がって隣接するもう一つの回転盤の前記内留め具溝に固定されていることを特徴とする、請求項１に記載のスプリングのねじり力によってエネルギーを貯蔵するエネルギー貯蔵装置。
【請求項６】
前記ねじり力スプリングの表面に波紋を設置することによって、前記ねじり力スプリングの抗引張力を増加し、エネルギー貯蔵効率を向上させることを特徴とする、請求項１に記載のスプリングのねじり力によってエネルギーを貯蔵するエネルギー貯蔵装置。
【請求項７】
前記エネルギー貯蔵ユニットの入力側回転盤と出力回転盤の間には、複数の回転盤を同軸直列連結し、
前記入力側回転盤は、前記ワンウェイ入力ベアリングの出力側に連結され、前記出力側回転盤は前記増速変換ギアに連結され、任意の二つの隣接する回転盤の間に前記ねじり力スプリングが巻き付けられ、
前記増速変換ギアが静止した時は同時に前記ねじり力出力側回転盤をストップさせることによって、前記ねじり力入力側回転盤が回転してエネルギー蓄積を行い、且つ前記ねじり力スプリングの連結によって、隣接する回転盤を順次回転させてエネルギーを蓄積し、
前記増速変換ギアが起動すると、同様に前記ねじり力スプリングの連結によって、隣接する回転盤を順次回転させてエネルギーを前記増速変換ギアを経由して増速し、エネルギー出力を行うことを特徴とする、請求項１に記載のスプリングのねじり力によってエネルギーを貯蔵するエネルギー貯蔵装置。
【請求項８】
前記エネルギー貯蔵ユニットは、並列設置を採用し、前記ねじり力変換ギアによって運動エネルギーを各エネルギー貯蔵ユニットへ分配してエネルギー貯蔵作業を行い、且つ各エネルギー貯蔵ユニットのエネルギーを前記増速変換ギアへ集中して出力し、各エネルギー貯蔵ユニットには、すべて独立した前記ねじり力制限器及び前記ワンウェイ入力ベアリングが連結されることによって、エネルギーの入力作業を安定させることを特徴とする、請求項１に記載のスプリングのねじり力によってエネルギーを貯蔵するエネルギー貯蔵装置。
【発明の詳細な説明】
【技術分野】
【０００１】
本発明は、スプリングのねじり力によってエネルギーを貯蔵するエネルギー貯蔵装置に係り、特に、各種エネルギーを接収し、スプリング圧縮エネルギーとして変換貯蔵し、必要な時に、弾力を放出してエネルギー出力を取得できるエネルギー貯蔵装置に関する。
【背景技術】
【０００２】
地球の石化エネルギーの貯蔵量には限界があり、いつかは尽きる時が来る。しかも石化エネルギーは、その多くが少数国家の手に掌握されており、他国の経済に対する影響は甚だ大きく、加えて石化エネルギーの環境に対する汚染はかなりひどい。従って、いかにして新しいエネルギー源を開発するかが全世界で相当重視されている課題となっている。
【０００３】
事実上では、地球のクリーンエネルギー源はたくさんある。太陽エネルギー・風力・水力など、その源は尽きることがなく、ただいかにそれらを有効に使用するかにかかっている。問題は、これらのエネルギーは直接人類の使用に対して提供することができず、変換プロセスを経なければならない。しかも、これらのエネルギー源は不安定であり、たとえば、太陽エネルギーは暗夜では使えない。風力源はあったりなかったり、大きかったり小さかったりで、有効に予測できない。水力源は、渇水期のために効能が低下し、場合によっては使用できないこともある。従って、いかにしてエネルギー源が充足しているときにエネルギーを貯蔵し、エネルギーが減少した時に放出して有効なエネルギー出力を維持するかが、クリーンエネルギーを掌握するキーポイントとなる。
【０００４】
エネルギーの貯蔵は容易ではない。その方法は不安定なエネルギー源をコントロール可能なエネルギー形式に変換することで、その一つが本発明者による特許文献１の「スプリング式エネルギー貯蔵ユニットの構造」である。前記先行特許は、主として殻体、エネルギー貯蔵ユニット及び変速ボックスにより構成され、前記エネルギー貯蔵ユニット及び変速ボックスは、殻体の内部に設置されている。前記エネルギー貯蔵ユニットは、一本の軸棒で複数の回転盤及び複数の渦巻きスプリングを貫通してなり、前記回転盤の両側面にそれぞれ外縁止め具及び内縁止め具を凸設し、二つの回転盤の間に前記渦巻きスプリングを一個設置することによって、前記外縁止め具及び内縁止め具をそれぞれ前記渦巻きスプリングの両端縁に係着させ、前記殻体外側にワンウェイ伝導を行う動力輸送軸を設けることによって、エネルギー貯蔵ユニットの第一回転盤を回転させることができる。前記変速ボックスには、入力軸及び出力軸があり、前記出力軸側は前記殻体の外側に突出しており、前記変速ボックスの中には相互にかみ合ったギア入力軸をいくつか設け、最内側の回転盤とかみ合わすことができ、最内側の前記回転盤が入力軸側を動かして回転させる。このように、一個以上の渦巻きスプリングを利用してエネルギーを同時に貯蔵し、且つ安定して前記エネルギーを放出・出力することができる。
【０００５】
前記先行特許は確かに安定したエネルギー貯蔵やエネルギー出力を行うスプリング式エネルギー貯蔵構造を提供できるが、まだ完ぺきではなく、効果的な解決が待たれていた。そのもっとも顕著な問題点は、前記先行特許は普通の渦巻きスプリングの設計を採用していることである。前記渦巻きスプリングのねじり力が不足なため、有限スペースに大量のエネルギーを貯蔵しがたい。なお、前記先行特許はわずか簡単なワンウェイベアリングによってねじり力の入力方向を制限している。ところがワンウェイベアリングの負荷には限界があり、ねじり力入力が大きすぎる場合は、損壊して機能を失いやすい。そのため、前記先行特許は小型のエネルギー貯蔵装置にのみ応用でき、発電など大型のエネルギー貯蔵装置として大規模に応用することはできない。    
【０００６】
本発明者は、上述従来装置に派生する欠点に鑑み、極力新規改善を試み、且つ長年苦心研鑽の末、ついに本件スプリングのねじり力によってエネルギーを貯蔵するエネルギー貯蔵装置の研究開発に成功した。
【先行技術文献】
【特許文献】
【０００７】
【特許文献１】台湾特許第１９７１８９号公報
【発明の概要】
【発明が解決しようとする課題】
【０００８】
そこで、  本発明の主要目的は、各種エネルギー源を接収し、スプリング圧縮エネルギーに変換し、必要な時にエネルギーを放出・供給することのできるスプリングのねじり力によってエネルギーを貯蔵するエネルギー貯蔵装置を提供することにある。
【０００９】
本発明のもう一つの目的は、エネルギーの出力を安定させ、エネルギー出力が大小不定のために使用面に影響することを避けることのできるスプリングのねじり力によってエネルギーを貯蔵するエネルギー貯蔵装置を提供することにある。
【００１０】
本発明の更にもう一つの目的は、大幅にエネルギー貯蔵効率を向上させ、限りあるスペースに大量のエネルギーを貯蔵して需要者の使用に供給できるスプリングのねじり力によってエネルギーを貯蔵するエネルギー貯蔵装置を提供することにある。
【課題を解決するための手段】
【００１１】
上記課題を解決するために、本発明に係るスプリングのねじり力によってエネルギーを貯蔵するエネルギー貯蔵装置は、エネルギー生成装置から生成された動力をスプリング式エネルギー形式に変換して貯蔵し、弾力を放出してエネルギー使用装置を駆動して作動させ、このようにして、各種エネルギーを変換貯蔵することによって、エネルギーを持続的に安定出力する機械機構に使用されるものである。
【００１２】
前記スプリングのねじり力によってエネルギーを貯蔵するエネルギー貯蔵装置は、ねじり力変換ギアを含み、その入力側はエネルギー源に接続され、前記エネルギー源は回転方式で入力され、前記ねじり力変換ギアによってねじり力として出力される。前記ねじり力変換ギアの出力側には、ねじり力制限器を接続し、前記ねじり力変換ギアの伝達するねじり力が前記ねじり力制限器の限定値を超えた場合、前記ねじり力変換ギアは滑ってねじり力の後述構造への入力を遮断し、損壊を招くことを避ける。前記ねじり力制限器の出力側にはワンウェイ入力ベアリングを接続し、ねじり力を後述構造へワンウェイ伝達し、且つ出力後のねじり力が逆方向出力して前面の構造を破壊することを防止する。前記ワンウェイ入力ベアリングの出力側は、エネルギー貯蔵ユニットに接続され、前記エネルギー貯蔵ユニットは、少なくとも二つの回転盤を同軸連結して形成され、前記隣接した二つの回転盤の間にねじり力スプリングを巻き付け、且つ前記ねじり力スプリングの末端は巻き付け方向とは逆に折れ曲がって設置され、前記回転盤が回転するとき、前記ねじり力スプリングが二回折れ曲がって巻き付けられ、回転ねじり力を増加させる。又、前記エネルギー貯蔵ユニットのねじり力出力側の回転盤には増速変換ギアが接続され、回転ねじり力を増速してエネルギーの出力を進行させる。前記エネルギー貯蔵ユニットは、直列・並列方式で設置し、エネルギー貯蔵及び使用効率を増加してよい。
【発明の効果】
【００１３】
本発明は、以下のような効果がある。
１）本発明は、各種エネルギーユニットに合わせて、前記エネルギーユニットのエネルギーをスプリング圧縮エネルギーに変換して貯蔵し、エネルギー源が充足時には、余分のエネルギーを蓄積し、エネルギー源が不足した時に、放出して補充することによって、長期的に有効なエネルギー出力を維持することができる。
【００１４】
２）本発明は、エネルギー出力の安定性を維持できる、前記エネルギーユニットで生成したエネルギーはまず本発明の装置に入り、適当な回転速度に調整してエネルギーを出力することができる。
【００１５】
３）本発明は、エネルギー貯蔵効率を向上させ、限られたスペースに最大のエネルギー貯蔵を提供し、製品の実用性を増進することができる。
【００１６】
４）本発明は、小型化して多様な場所に応用できる、たとえば、自動車などの交通道具に装着する、或いは扇風機・回転式髭そり、おもちゃ自動車など回転エネルギーを必要とする装置や、更には小型発電機を配置して在宅、外出時の非常用エネルギーとすることができる。
【００１７】
５）本発明のエネルギー入力は、人工入力を採用、或いは自転車など運動機材に接続し、ユーザーが運動過程中にエネルギーを蓄積することもできる。
【図面の簡単な説明】
【００１８】
【図１】本発明に係るスプリングのねじり力によってエネルギーを貯蔵するエネルギー貯蔵装置の構造斜視図である。
【図２Ａ】本発明に係るエネルギー貯蔵装置の構造側面図である。
【図２Ｂ】図２Ａの出力側回転盤と増速変換ギアの結合側の拡大図である。
【図３】本発明に係るエネルギー貯蔵装置を風力発電システムに使用する構造ブロック図である。
【図４】本発明に係るエネルギー貯蔵装置の第一種ねじり力スプリングと回転盤の結合例斜視分解図である。
【図５】本発明に係るエネルギー貯蔵装置の第一種ねじり力スプリングと回転盤の結合例斜視図である。
【図６】本発明に係るエネルギー貯蔵装置の第一種ねじり力スプリングと回転盤の結合例斜視正面図である。
【図７】本発明に係るエネルギー貯蔵装置の第一種ねじり力スプリングと回転盤の複数セット結合例斜視図である。
【図８】本発明に係るエネルギー貯蔵装置の第二種ねじり力スプリングと回転盤の結合例分解斜視図である。
【図９】本発明に係るエネルギー貯蔵装置の第二種ねじり力スプリングと回転盤の結合例組合せ斜視図である。
【図１０】本発明に係るエネルギー貯蔵装置の第二種ねじり力スプリングと回転盤の結合例斜視正面図である。
【図１１】本発明に係るエネルギー貯蔵装置の第二種ねじり力スプリングと回転盤の複数セット結合例斜視図である。
【図１２】本発明に係るエネルギー貯蔵装置のエネルギー貯蔵ユニットの直列式結合斜視図である。
【図１３】本発明に係るエネルギー貯蔵装置のエネルギー貯蔵ユニットの並列式結合斜視図である。
【発明を実施するための形態】
【００１９】
以下、本発明の実施の形態を図面に基づいて説明する。
【００２０】
図１〜図３には、本発明に係るスプリングのねじり力によってエネルギーを貯蔵するエネルギー貯蔵装置１を示す。前記エネルギー貯蔵装置１は、ねじり力変換ギア１１と、ねじり力制限器１２と、ワンウェイ入力ベアリング１３と、エネルギー貯蔵ユニット１４と、増速変換ギア１５などの構造によって構成される。前記ねじり力変換ギア１１は、エネルギー源に接続し、前記ねじり力制限器１２と、ワンウェイ入力ベアリング１３によってエネルギー入力の大小、方向を制限することによって、順調にスプリング圧縮エネルギーとして変換し、前記エネルギー貯蔵ユニット１４の中に蓄積し、増速変換ギア１５を経由してエネルギーを放出し、後端の使用に備えることができる。
【００２１】
一歩進めて言えば、前記ねじり力変換ギア１１は、回転方式で入力されたエネルギー源を接収してねじり力に変換して出力する。前記ねじり力制限器１２は、前記ねじり力変換ギア１１の出力側に接続され、前記ねじり力変換ギア１１の伝達するねじり力が前記ねじり力制限器１２の限定値を超える場合は、前記ねじり力制限器１２は直ちに滑ってねじり力が後述構造に入力されることを遮断し、損壊を招くことを避ける。前記ワンウェイ入力ベアリング１３は前記ねじり力制限器１２の出力側に接続され、ねじり力を前記エネルギー貯蔵ユニット１４へ一方的に伝達し、且つ前記エネルギー貯蔵ユニット１４のねじり力が逆方向へ出力されて前面のねじり力制限器１２、ねじり力変換ギア１１或いはそのたの構造を破壊することを防止する。
【００２２】
前記エネルギー貯蔵ユニット１４は、少なくとも二つの回転盤１４２、１４３を同軸連結して形成され、前記隣接する二つの回転盤１４２、１４３の間には、ねじり力スプリング１４１を巻き付け、且つ前記ねじり力スプリング１４１の末端は巻き付け方向とは逆方向に折り曲げて設置され、前記回転盤１４２はねじり力入力側として前記ワンウェイ入力ベアリング１３の出力側に連結され、前記回転盤１４３はねじり力出力側として前記増速変換ギア１５と連結され（図２Ｂを参照）、前記増速変換ギア１５が静止して動かないときは、前記ねじり力出力側の回転盤１４３も同様に静止して動かない。従って、前記ねじり力入力側回転盤１４２は前記回転盤１４３に対応して回転し、前記ねじり力スプリング１４１を二次的に折りまげて巻き付け、前記ねじり力スプリング１４１が二つの回転盤１４２、１４３の相対的回転に抵抗する回転ねじり力を増加させ、前記ねじり力スプリング１４１に一層大きいエネルギー蓄積効果を獲得させることができる。前記増速変換ギア１５が起動したときは、前記出力側回転盤１４３の回転ねじり力を増速してエネルギー出力を行うことができる。
【００２３】
図２Ａを参照して、前記スプリングのねじり力によってエネルギーを貯蔵するエネルギー貯蔵装置１は、大型エネルギー供給システムの一部分であり、本実施例では風力発電の例を挙げる。前記システムでは、前記スプリングのねじり力によってエネルギーを貯蔵するエネルギー貯蔵装置１のエネルギー入力側１６にエネルギーユニット２を設け、たとえば、風力・水力・人力或いはその他運動エネルギー源で生成される回転エネルギーを接収する。前記エネルギーユニット２のエネルギー出力側にはクラッチ５１が連結され、且つ前記エネルギーユニット２に合わせてエネルギースピードメーター２１を設置してある。前記エネルギースピードメーター２１で検測された回転速度によって、前記クラッチの開閉を自動的に判断し、前記エネルギーユニット２のエネルギーを出力するかどうかを制御する。前記クラッチ５１と前記ねじり力変換ギア１１の間には、ホイール５３、変速ボックス５２を順次設置し、前記ホイール５３は回転の慣性によって、前記エネルギーユニット２のエネルギー出力の安定性を維持する。
【００２４】
前記変速ボックス５２は、回転速度を下げてねじり力を増加し、エネルギー貯蔵に適合させる。前記スプリングのねじり力によってエネルギーを貯蔵するエネルギー貯蔵装置１のエネルギー出力側１７には、電磁式動力ブレーキ６１、無段変速ボックス６２、速度制御器６３、ホイール６４、発電機クラッチ６５を順次設置し、最後に発電機３に接続する。前記動力ブレーキ６１は、前記増速変換ギア１５のエネルギー出力を引き下げ或いは停止させるためであり、前記無段変速ボックス６２は、エネルギー出力の回転速度を維持するためであり、前記速度制御器６３は、エネルギー出力の回転速度を維持するためであり、前記ホイール６４は、回転の慣性によってエネルギー出力の安定性を維持し、そして、前記発電機クラッチ６５は、最後に、エネルギーを前記発電機３へ伝送して発電させることを制御する。
【００２５】
前述クラッチ５１、エネルギースピードメーター２１、変速ボックス５２、ねじり力制限器１２、エネルギー貯蔵ユニット１４、動力ブレーキ６１、無段変速ボックス６２、速度制御器６３、発電機クラッチ６５、発電機３は、すべてコンピュータ制御ユニット４に接続して統一管理を行い、操作の安定性を維持する。
【００２６】
図４〜図１１の各図を参照して、エネルギー貯蔵効率を向上させるため、本発明に係るねじり力スプリング１４１の設置は、二次的折れ曲がり巻き付け設計を採用する。まず、前記二つの回転盤１４２、１４３の回転軸心にスリーブ１４４を設置し、前記前記二つの回転盤１４２、１４３の外縁に外留め具溝１４６を設け、前記スリーブ１４４には内留め具溝１４５を設けることによって、前記ねじり力スプリング１４１の内、外側末端１４７、１４８をそれぞれ隣接する二つの回転盤１４２、１４３の前記内、外留め具溝１４５、１４６の中に係着固定する。
【００２７】
そして、本発明の前記ねじり力スプリング１４１の逆方向折れ曲がりについては二種類の設計がある。第一種類は、前記ねじり力スプリング１４１の内側末端１４７を回転盤の一つである回転盤１４２の内留め具溝１４５に正常に巻き付け、前記ねじり力スプリング１４１の外側末端１４８を内側の巻き付け方向と逆に折り曲げて、もう一つの回転盤１４３の前記外留め具溝１４６に係着固定する。第二種類は、外側末端１４８を正常な巻き付け方向で回転盤１４２の外留め具溝１４６に固定し、前記ねじり力スプリング１４１の内側末端１４７を外側巻き付け方向と逆方向に折り曲げた後もう一方の回転盤143の内留め具溝１４５に固定する。このようにして、一層多くの前記回転盤１４２、１４３を接続することができ、つまりエネルギー貯蔵の効能を増加することができる。なお前記ねじり力スプリング１４１の表面に波紋１４９を設置することによって、前記ねじり力スプリング１４１の抗引張力を増加させ、エネルギー貯蔵の効率を向上させる。
【００２８】
図１２は、実際に応用するとき、前記エネルギー貯蔵ユニット１４の入力側回転盤１４２と出力側回転盤１４３の間に、複数の回転盤１４０を同軸直列接続し、即ち前記入力側回転盤１４２を前記ワンウェイ入力ベアリング１３の出力側に接続し、前記出力側回転盤１４３を前記増速変換ギア１５に接続し、そして隣接する任意の二つの回転盤１４２、１４３、１４０の間に前記ねじり力スプリング１４１を巻き付ける。
【００２９】
前記増速変換ギア１５が静止しているときは、同時に前記ねじり力出力側回転盤１４３を固定することによって、前記ねじり力入力側回転盤１４２が回転してエネルギー蓄積を行い、且つ前記ねじり力スプリング１４１の連結によって隣接する回転盤１４０を順次回転させて、飽満してこれ以上入力できないところまでエネルギーを蓄積する。そして、前記増速変換ギア１５が起動すると、同様に前記ねじり力スプリング１４１の連結によって、出力側回転盤１４３が隣接する回転盤１４０、１４２を順次回転させ、エネルギーを前記増速変換回転盤１５によって増速し、エネルギー出力を行う。
【００３０】
図１３は、別の応用方式で、前記エネルギー貯蔵ユニット１４は、並列設置してよく、前記ねじり力変換ギア１１によって、運動エネルギーを各エネルギー貯蔵ユニット１４へ配分してエネルギー蓄積作業を行い、且つ各エネルギー貯蔵ユニット１４のエネルギーを前記増速変換ギア１５に集中して出力させる。各エネルギー貯蔵ユニット１４には、すべて独立した前記ねじり力制限器１２及び前記ワンウェイ入力ベアリング１３が連結され、エネルギーの入力作業を安定させる。
【００３１】
上述詳細な説明は、本発明の実行可能な実施例の具体的説明であり、ただし前記実施例は本発明の特許請求範囲を制限するものではなく、およそ本発明の技芸精神を逸脱せずになされる等価実施或いは変更は、すべて本発明の特許請求範囲に含まれるものとする。
【符号の説明】
【００３２】
１：スプリングのねじり力によってエネルギーを貯蔵するエネルギー貯蔵装置
１１：ねじり力変換ギア
１２：ねじり力制限器
１３：ワンウェイ入力ベアリング
１４：エネルギー貯蔵ユニット
１４０：回転盤
１４１：ねじり力スプリング
１４２：回転盤
１４３：回転盤
１４４：スリーブ
１４５：内留め具溝
１４６：外留め具溝
１４７：内側末端
１４８：外側末端
１４９：波紋
１５：増速変換ギア
１６：エネルギー入力側
１７：エネルギー出力側
２：エネルギーユニット
２１：エネルギースピードメーター
３：発電機
４：コンピュータ制御ユニット
５１：クラッチ
５２：変速ボックス
５３：ホイール
６１：動力ブレーキ
６２：無段変速ボックス
６３：速度制御器
６４：ホイール
６５：発電機クラッチ
【図１】
2014020454.tif 000003
【図２Ａ】
2014020454.tif 000004
【図２Ｂ】
2014020454.tif 000005
【図３】
2014020454.tif 000006
【図４】
2014020454.tif 000007
【図５】
2014020454.tif 000008
【図６】
2014020454.tif 000009
【図７】
2014020454.tif 000010
【図８】
2014020454.tif 000011
【図９】
2014020454.tif 000012
【図１０】
2014020454.tif 000013
【図１１】
2014020454.tif 000014
【図１２】
2014020454.tif 000015
【図１３】
2014020454.tif 000016